(57)【要約】【課題】巻真が通常運針位置とは異なる引出位置に引出された際に必要に応じて午前午後の種別を確認し得るようにした日及び午前・午後の表示機能付き時計を提供すること。【解決手段】日及び午前・午後の表示機能付き時計１は、２４時間単位で一回転する２４時車４０と、通常運針位置Ｐ０と引出位置Ｐ２との間で出入れ可能な巻真１７と、巻真１７が引出位置Ｐ２に引出された際、２４時車４０の回転位置に応じて、午前又は午後である旨を表示する午前・午後表示機構３とを備える。午前・午後表示機構４０は、２４時車４０の一回転に応じて一回転され、午前表示用カム面部４３及び午後表示用カム面部４４を備えた午前・午後表示カム４２と、巻真１７が引出位置Ｐ２に引出された際、午前表示用カム面部４３又は午後表示用カム面部４４に当接されて午前又は午後である旨を表示するカム従節の形態の表示手段４，６とを有する。【選択図】図４
2010256249.tif 000002
【特許請求の範囲】
【請求項１】
日及び午前・午後の表示機能付き時計であって、
２４時間単位で一回転する２４時車と、
通常運針位置と引出位置との間で出し入れ可能な巻真と、
巻真が前記引出位置に引出された際、２４時車の回転位置に応じて、午前又は午後である旨を表示する午前・午後表示機構と
を備えた日及び午前・午後の表示機能付き時計。
【請求項２】
午前・午後表示機構が、
２４時車の一回転に応じて一回転され、２４時車が午前の回転位置にあることを示す午前表示用カム面部と午後の回転位置にあることを示す午後表示用カム面部とを備えた午前・午後表示カムと、
巻真が前記引出位置に引出された際、午前表示用カム面部又は午後表示用カム面部に当接されて午前又は午後である旨を表示するカム従節の形態の表示手段と
を有する請求項１に記載の日及び午前・午後の表示機能付き時計。
【請求項３】
前記表示手段が作動位置と非作動位置との間で可動で被係止部を備えた表示レバーを有し、巻真が係止部を備え、巻真が前記引出位置以外の位置にある場合には表示レバーは被係止部で巻真の係止部によって係止されて非作動位置に止められる請求項２に記載の日及び午前・午後の表示機能付き時計。
【請求項４】
前記表示手段は、前記被係止部を含む表示レバー本体部に対して表示レバーの前記非作動位置から前記作動位置に向かう偏倚力を及ぼす弾性偏倚手段を備える請求項３に記載の日及び午前・午後の表示機能付き時計。
【請求項５】
弾性偏倚手段が表示レバー本体と一体的なバネからなる請求項４に記載の日及び午前・午後の表示機能付き時計。
【請求項６】
前記表示手段が、前記表示レバーと該表示レバーに取付けられた表示針とからなる請求項３から５までのいずれか一つの項に記載の日及び午前・午後の表示機能付き時計。
【請求項７】
日車と該日車の日付を表示する日窓を備えた文字板とを有し、巻真が前記引出位置に引出された際、午前表示用カム面部又は午後表示用カム面部に、カム従節の形態の表示手段が当接されて該表示手段の一部が、日窓内に現れるように構成された請求項２から６までのいずれか一つの項に記載の日及び午前・午後の表示機能付き時計。
【請求項８】
前記引出位置が針合せ用の引出し位置である請求項１から７までのいずれか一つの項に記載の日及び午前・午後の表示機能付き時計。
【発明の詳細な説明】
【技術分野】
【０００１】
本発明は日表示機能を備えた時計に係り、より詳しくは、日表示機能に加えて午前・午後の識別表示機能を備えた日及び午前・午後の表示機能付き時計に係る。
【背景技術】
【０００２】
日表示機能を備えた時計において、例えば、運針が一旦止まると、当該時計の時針が示している１２時間単位での表示時刻が午前の時刻であるか午後の時刻であるかが判らないことから、午前と午後とを誤って時刻合わせをする（１２時間だけズレた状態に針合せをする）虞れがあり、午前・午後の誤りを避けようとすると時刻合わせ（日時の合わせ）が面倒になるのを避け難い。
【０００３】
なお、各種の意図で、午前午後の表示機能を備えた時計は、提案されている（特許文献１〜３）。
【０００４】
特許文献１では、現在地の時刻を時針及び分針を含む通常の時刻表示針により表示すると共に、該現在地とは時差のある別の地における時刻を別の領域で表示するようにした時計において、該別の地について１２時間単位の時刻に加えて午前午後の表示をし得るようにすることが提案されている。
【０００５】
また、特許文献２では、午前及び午後の表示を交互に有する車を１２時間毎に一つ分だけ回転させるようにすることが提案されている。
【０００６】
更に、特許文献３では、日車を１２時間毎に通常の日送りの半分だけ回転させると共に、日車に日付に加えて午前・午後の区別を表す表示を日車に設けておいて、所定回転位置にある日車が、日窓（日表示窓）を介して、日付と午前午後の種別との両方を表示し得るようにすることが提案されている。
【０００７】
しかしながら、いずれの提案も、午前又は午後の種別を常時表示するものであって、多少なりとも違和感がある。
【先行技術文献】
【特許文献】
【０００８】
【特許文献１】特開２００４−１４４７５４号公報
【特許文献２】中国実用新案特許公告ＣＮ２０１０００５４８Ｙ
【特許文献３】米国特許出願公開第２００８／００４９５５７号明細書
【発明の概要】
【発明が解決しようとする課題】
【０００９】
本発明は前記した点に鑑みなされたものであって、その目的とするところは、巻真が通常運針位置とは異なる引出位置に引出された際に必要に応じて午前午後の種別を確認し得るようにした日及び午前・午後の表示機能付き時計を提供することにある。
【課題を解決するための手段】
【００１０】
本発明の午前・午後表示機能付き時計は、前記目的を達成すべく、日及び午前・午後の表示機能付き時計であって、２４時間単位で一回転する２４時車と、通常運針位置と引出位置との間で出し入れ可能な巻真と、巻真が前記引出位置に引出された際、２４時車の回転位置に応じて、午前又は午後である旨を表示する午前・午後表示機構とを備える。
【００１１】
本発明の日及び午前・午後の表示機能付き時計では、「巻真が引出位置に引出された際、午前又は午後における２４時車の回転位置に応じて、午前又は午後である旨を表示する午前・午後表示機構」が設けられているので、２４時間単位で見た場合に時針の表示時間が午前・午後のいずれになっているかを巻真を通常運針位置とは異なる引出位置に引出した際に確実に認識し得る。従って、典型的には、巻真を通常運針位置とは異なる針合せようの引出位置に引出した際に、該針を午前又は午後の所定現在時刻に確実にあわせ得る。その結果、本発明の午前・午後表示機能付き時計では、日表示の変更のタイミングを現実の日替わりのタイミングに確実にあわせ得る。ここで、午前・午後の表示は、午前である場合にのみ午前であることを表示し午後である場合には何らの表示もしないことによって午前ではなく午後であることを表示するようになっていても、逆に、午後である場合にのみ午後であることを表示し午前である場合には何らの表示もしないことによって午後ではなく午前であることを表示するようになっていても、午前の場合には明示的に（直接的に）午前であることを表示し午後である場合には午後であることを明示的に（直接的に）表示するようになっていてもよい。
【００１２】
日表示は、典型的には、日車と該日車の日付を表示する日窓によって行われる。但し、所望ならば、その代わりに、日付を指す針や日付を示す日星車自体が回転するようになっていてもよい。
【００１３】
本発明の日及び午前・午後の表示機能付き時計において、２４時車は、典型的には、時針や分針と同心に配置される。但し、時針や分針の一方又は両方と同心でなくてもよい。なお、日車を回すための日回し車は実際上２４時間に一回転する２４時車になっているので、日回し車を２４時車として利用する場合、午前・午後表示機構のために別に２４時車を設けなくてもよい。
【００１４】
本発明の日及び午前・午後の表示機能付き時計では、典型的には、午前・午後表示機構が、２４時車の一回転に応じて一回転され、２４時車が午前の回転位置にあることを示す午前表示用カム面部と午後の回転位置にあることを示す午後表示用カム面部とを備えた午前・午後表示カムと、巻真が前記引出位置に引出された際、午前表示用カム面部又は午後表示用カム面部に当接されて午前又は午後である旨を表示するカム従節の形態の表示手段とを有する。但し、午前・午後表示機構は、機械的な表示機構の代わりに、巻真が前記引出位置に引出された際２４時車の回転位置に応じて午前又は午後である旨を色光その他の非機械的な情報（例えば、午前であれば、「日窓内が赤く照らされる」等）で表示するようになっていてもよい。
【００１５】
午前・午後表示機構が上記のような午前・午後表示カムと上記のようなカム従節の形態の表示手段とを有する場合、巻真が前記引出し位置に引き出されると、カム従節の形態の表示手段が、午前・午後表示カムの午前表示用カム面部又は午後表示用カム面部に当接されて午前又は午後である旨を表示するので、午前・午後の表示が巻真の引出しに応じて確実に行われ得る。
【００１６】
なお、ここで、表示手段は、「巻真が前記引出位置に引出された際、午前表示用カム面部又は午後表示用カム面部に当接される」ものであって、巻真を前記引出位置に引出さない通常運針状態では、表示手段は、カム面に当接する状態にならない。
【００１７】
本発明の日及び午前・午後の表示機能付き時計では、典型的には、前記表示手段が作動位置と非作動位置との間で可動で被係止部を備えた表示レバーを有し、巻真が係止部を備え、巻真が前記引出位置以外の位置にある場合には表示レバーは被係止部で巻真の係止部によって係止されて非作動位置に止められる。
【００１８】
この場合、巻真が前記引出位置に引出されてはじめて、表示レバーの被係止部に対する巻真の係止部による係止が解除されて、表示レバーが非作動位置から作動位置に移動可能になる。
【００１９】
表示レバーは、典型的には、作動位置と非作動位置との間で、その回転中心軸線のまわりで回動可能に構成される。但し、所望ならば、その代わり、表示レバーを作動位置と非作動位置との間で、揺動可能にしたり、並進的に往復動可能にしてもよい。
【００２０】
本発明の日及び午前・午後の表示機能付き時計では、典型的には、前記表示手段は、前記被係止部を含む表示レバー本体部に対して表示レバーの前記非作動位置から前記作動位置に向かう偏倚力を及ぼす弾性偏倚手段を備える。
【００２１】
この場合、巻真の係止部による表示レバーの被係止部の係止を解除するだけで、表示レバーが弾性偏倚手段の作用下で非作動位置から作動位置に変位され得る。
【００２２】
本発明の日及び午前・午後の表示機能付き時計では、典型的には、弾性偏倚手段が表示レバー本体と一体的なバネからなる。但し、弾性偏倚手段が表示レバー本体は別体であってもよい。また、弾性偏倚手段はバネ以外のものであってもよい。
【００２３】
なお、本発明の日及び午前・午後の表示機能付き時計では、典型的には、前記表示手段が、前記表示レバーと該表示レバーに取付けられた表示針とからなる。
【００２４】
この場合、表示針を表示に適した部材で形成し、表示レバーをその動作に適した部材で形成し得る。但し、所望ならば、表示針に対応する表示部分が表示レバーの本体部と一体的に形成されていてもよい。なお、表示手段を構成する表示レバーと表示針とが相互に固定されている代わり、相対動可能な機構で連結されていてもよい。
【００２５】
本発明の日及び午前・午後の表示機能付き時計では、典型的には、日車と該日車の日付を表示する日窓を備えた文字板とを有し、巻真が前記引出位置に引出された際、午前表示用カム面部又は午後表示用カム面部に、カム従節の形態の表示手段が当接されて前記表示手段の一部が、日窓内に現れるように構成される。
【００２６】
その場合、日表示のために用いられる日窓が午前午後の表示に利用され得る。ここで、巻真を所定の前記引出し位置に引出した場合に限り、午前・午後の表示が行われるので、午前・午後の表示が常時行われる場合とは異なり、オーソドックスな時計表現（針とカレンダ等）が保たれるので、午前・午後表示に違和感が少ない。また、２４時車自体で午前午後の表示をする場合とは異なり、視認性が高い。
【００２７】
但し、日車の日付を表示する日窓内で午前・午後の表示をさせる代わりに、午前・午後を表示する別の窓その他の表示領域を設けておいて該表示領域内に午前・午後の表示が行われるようになっていてもよい。また、文字板やベゼルに表示された日付に対して日星車その他の日付表示針を備えた車が回転されて日付が表示されるようになっていてもよい。
【００２８】
本発明の午前・午後表示機能付き時計では、典型的には、前記引出位置が針合せ用の引出し位置である。
【００２９】
その場合、止まっていたり、大きく時間がずれている時計の針合せをしようとして竜頭（りゅうず）をつまんで巻真を針合せ用引出位置（典型的には、りゅうず２段目ないし巻真２段目）に引出した正にそのときに、当該時計が表示している時分が午前の時分であるか午後の時分であるかを認識し得るので、無駄なく且つ余分な操作無く当該午前・午後の情報に基づいて次の針合せ動作を行い得る。
【００３０】
但し、所望ならば、巻真を典型的には２段目（針合せ位置）に引出す前に、例えば、１段目（通常は日合せ位置）に引出すだけで、午前午後の表示が行われるようになっていてもよい（巻真を２段目（針合せ位置）に引出した場合にも午前午後の表示が行われる限り）。
【図面の簡単な説明】
【００３１】
【図１】本発明の好ましい一実施例の時計の外観を示したもので、（ａ）は通常運針状態にある本発明の好ましい一実施例の時計の外観を示した正面説明図、（ｂ）は時計が午前状態にある場合に巻真を針合せ位置（２段引出位置）に引出したときの（ａ）の時計の外観を示した正面説明図、（ｃ）は時計が午後状態にある場合に巻真を針合せ位置（２段引出位置）に引出したときの（ａ）の時計の外観を示した正面説明図。
【図２】図１の時計のムーブメントの一部の縦断面説明図。
【図３】図１の時計のムーブメントの一部を正面（裏面側）から示したもので、（ａ）は巻真が０段目にある状態（通常運針状態）のムーブメントの一部の正面説明図、（ｂ）は巻真が２段目にある状態のムーブメントの一部の正面説明図。
【図４】図１の時計の午前・午後表示機構の部分を拡大して示したもので、（ａ）は時計が通常運針状態にある場合であって時計が午前状態にある場合における本発明の好ましい一実施例の午前・午後表示機構を示した正面説明図、（ｂ）は（ａ）の午前・午後表示機構において巻真を２段目に引出した状態を示した（ａ）と同様な正面説明図、（ｃ）は時計が通常運針状態にある場合であって時計が午後状態にある場合における（ａ）の午前・午後表示機構を示した正面説明図、（ｄ）は（ｃ）の午前・午後表示機構において巻真を２段目に引出した状態を示した（ｃ）と同様な正面説明図。
【発明を実施するための形態】
【００３２】
本発明の好ましい一実施の形態を添付図面に示した好ましい一実施例に基づいて説明する。
【実施例】
【００３３】
本発明の好ましい一実施例の時計１は、図１の（ａ）に示したように、中心軸線Ｃのまわりで時計回りＣ１に回転される時針１１，分針１２及び秒針１３を有すると共に、文字板１４の日窓１５を介して日表示を行う日車１６を有する。時計１では、通常運針時には巻真１７は押し込まれた位置（いわゆる巻真０段目ないしりゅうず０段目）Ｐ０にあり、針合せ（表示時刻の修正）を行う場合には、図１の（ｂ）や（ｃ）に示したように、針合せ用の引出位置（いわゆる巻真２段目ないしりゅうず２段目）Ｐ２に巻真１７がＡ１方向に引出される。なお、巻真１７を一段階引出した位置（いわゆる巻真１段目ないしりゅうず１段目）は、日修正用の引出位置になる。１９は巻真１７の突出端に取付けられたりゅうずである。
【００３４】
時計１は、図２に示すように、時針１１が取付けられた筒車２１や、分針１２が取り付けられた二番車２２や、秒針１３が取付けられた四番車２３を同心に備える。二番車２２は、二番かな（分かな）２２ａと該二番かな２２ａにスリップ係合された二番歯車２２ｂとを備える。これらの車２１，２２，２３は、ぜんまい（図示せず）の如き回転駆動源からの回転トルクの作用下で調速・脱進機（図示せず）や日の裏車２４（図３の（ａ）又は（ｂ）参照）を含む関連輪列を介して夫々の所定の回転速度で回転される。この例では、ぜんまい（図示せず）は自動巻用の回転錘２５によっても巻上げられる。なお、図２において、８は地板、９は三番受、１４ａは文字板受リングである。
【００３５】
巻真１７にはつづみ車３１が嵌合且つ係合され、つづみ車３１は、巻真１７のＡ１，Ａ２方向の出し入れに応じて、おしどり３２及びかんぬき３３を含む切替機構３４の作用下で、巻真１７に対してＡ２，Ａ１方向に変位される。なお、巻真１７のＡ１，Ａ２方向の出入の際、切替機構３４の作用下で、レバー３５がＥ１，Ｅ２方向に揺動される。このレバー３５には、後述する針回し中間輪列３８を構成する車３８ａ，３８ｂ及び日修正輪列３９を構成する車３９ａ，３９ｂが回転自在に担持されている。
【００３６】
巻真１７が０段目Ｐ０にある場合、つづみ車３１は、きち車３６ａを介して丸穴車３６ｂに係合され、巻真１７の一方向回転に応じて丸穴車３６ｂや角穴車（図示せず）を介してぜんまい（図示せず）が巻き上げられる。
【００３７】
巻真１７が２段目Ｐ２に設定されると、図２に加えて図３の（ｂ）に示したように、つづみ車３１が小鉄車３７に噛合されると共にレバー３５のＥ１方向揺動により該小鉄車３７に噛合される針回し中間輪列３８の車３８ａ，３８ｂを介して、日の裏車２４に係合される。従って、巻真１７が２段目Ｐ２にある場合、巻真１７の中心軸線ＢのまわりでのＢ１，Ｂ２回転に応じて、小鉄車３７及び針回し中間車３８ａ，３８ｂ並びに日の裏車２４を介して、筒車２１及び分かな２２ａを回転させ、時針１１及び分針１２を回転させて、針合せを行わせる。なお、巻真１７が２段目Ｐ２に設定されると、てんぷ規正レバー１８を介して、調速・脱進機を構成するてんぷ（図示せず）が規正されて、秒針１３の回転も止められる。
【００３８】
一方、巻真１７が１段目（図示せず）に設定されると、つづみ車３１が小鉄車３７に噛合されると共にレバー３５のＥ２方向揺動により該小鉄車３７に噛合される日修正輪列３９の車３９ａ，３９ｂ等（図３の（ａ）や（ｂ）参照）に係合されて、該日修正輪列３９を介して日車１６を回し、日付表示を変更させる。巻真１７がこの１段目にある場合、小鉄車３７と針回し輪列３８との係合は解除される。
【００３９】
時計１は、上記のような各種の輪列に加えて、中心軸線ＣのまわりでＣ１方向（時計回り）に回転される２４時車４０を有する。２４時車４０は、２４時歯車４１に加えて、午前午後表示カムとしての２４時カム４２を一体に備える。２４時カム４２は、例えば図４の（ａ）に拡大して示したように、午前表示用カム面部としての実質的に半円形の小径円弧状部ないし小径円弧状カム面４３と、午後表示用カム面部としての概ね半円形の大径円弧状部ないし大径円弧状カム面４４とを有する。小径及び大径円弧状部４３，４４の間は、径方向対して多少傾斜した接続カム面ないし遷移カム面４５ａ，４５ｂで連続的に且つ実際上滑らかにつながっている。
【００４０】
２４時車４０は、２４時中間車４８を介して、筒車２１に係合されている。より詳しくは、２４時中間車４８は、その歯車部ないしかな部４８ａで２４時車４０の２４時歯車４１に噛合され、歯車部４８ｂで筒車２１と一体的な歯車部２１ｂに噛合されている。
【００４１】
時計１は、図３の（ａ）や（ｂ）の関連部分を拡大して示した図４の（ａ）〜（ｄ）からわかるように、午前・午後表示機構３を有する。午前・午後表示機構３は、前述の２４時車４０の２４時カム４２と、該カム４２と係合可能な表示レバー４と、該表示レバー４に取付けられた表示針６とを有する。ここで、当接されて午前又は午後である旨を表示するカム従節の形態の表示手段は、表示レバー４と表示針６とからなる。
【００４２】
表示レバー４は、一対の剛性腕部５１，５２を一体的に備えた表示レバー本体部５０と、該表示レバー本体部５０から延設されたバネ部６０とを有する。
【００４３】
表示レバー本体部５０は、一対の腕部５１，５２の連結部５３においてピン５４を介して中心軸線ＤのまわりでＤ１，Ｄ２方向に回動自在に地板８の如き支持部材に支持されている。表示レバー本体部５０のうち一対の腕部５１，５２の一方の腕部５１は、先端にカム従節として働く倣い用係合突起部５５を備える。一対の腕部５１，５２のうちの他方の腕部５２は、先端部に表示針取付部５６及び被係合突起部５７を備える。表示針取付部取付部５６には、表示針６が一体的に取付けられ、被係止部としての被係合突起部５７には、巻真０段目ないしりゅうず０段目（通常運針位置）Ｐ０にある巻真１７の係止部としての先端部１７ａが係合可能である。巻真１７が、２段目Ｐ２に引出されると、巻真１７の先端部１７ａが被係合突起部５７から離れるようにＡ１方向に後退するので、巻真１７の先端部１７ａは、被係合突起部５７の変位を規制することはない。表示レバー本体部５０の倣い用係合突起部５５は、時計１が午前の状態にある（２４時車４０が午前に対応する回転位置にある）場合には巻真１７の二段引出しに応じて午前表示用カム面部としての小径円弧状部４３に当接可能され、時計１が午後の状態にある（２４時車４０が午前に対応する回転位置にある）場合には巻真１７の二段引出しに応じて午後表示用カム面部としての大径円弧状部４４に当接可能される。
【００４４】
弾性偏倚手段としてのバネ部６０は、概ねＵ字状に曲がったバネ本体部６１を備える。表示レバー本体部５０のうち一対の腕部５１，５２の連結部５３の外側部５８には、バネ本体部６１の一端部６２が一体的につながっている。Ｕ字状のバネ本体部６１は、他端部６３で地板８の如き支持部材に突設されたピン８ａに当接して支持されている。従って、表示レバー４のバネ６０は、表示レバー本体部５０を、ピン５４のまわりで常時Ｄ１方向に回そうとする偏倚力を該表示レバー本体部５０に及ぼす。
【００４５】
表示針６は、基部大径部７１及び該基部大径部７１から細長く延びた針本体部７２を有する。表示針６は、基部大径部７１で、表示レバー本体部５０の腕部５２の表示針取付部５６に連結ピン状部７２を介して固定されていて、表示レバー４の表示レバー本体部５０が、Ｄ１，Ｄ２方向に回動されると、該回動に応じて、針本体部７２がＤ１，Ｄ２方向に揺動される。
【００４６】
より詳しくは、図４の（ａ）や（ｃ）に示したように、巻真１７が通常運針位置（０段目）にあって該巻真１７の先端部１７ａが表示レバー４の本体部５０の腕部５２の被係合突起部５７をＡ２方向に押している場合、表示レバー４の本体部５０はＤ２方向に揺動され、腕部５２がＤ２方向に揺動されるので、表示針６もＤ２方向に揺動される。この状態では、表示針６は日窓１５の外に位置し、日窓１５からは、表示針６は、見えない。
【００４７】
一方、巻真１７をＡ１方向に２段目Ｐ２に引き、表示レバー４の本体部５０がＤ１方向に大きく揺動した場合、腕部５２に取付けられた表示針６もＤ１方向に揺動されて、表示針６の本体部７２が日窓１５の範囲内に入り、表示針６の本体部７２が日窓１５から見えるようになる。なお、巻真１７をＡ１方向に２段目Ｐ２に引いた際における表示レバー４の本体部５０のＤ１方向の揺動の程度は、表示レバー本体部５０の腕部５１の先端係合部５５に係合するカム４２のカム面４３，４４に依存することになる。
【００４８】
次に、以上の如く構成された時計１における午前・午後表示機構の動作について、図２並びに図３の（ａ）及び（ｂ）に加えて、図１（ａ）〜（ｃ）及び図４の（ａ）〜（ｄ）を参照しつつ、より詳しく説明する。
【００４９】
図１の（ａ）に示したように、３日の「１０時８分」を指した状態で、時計１が止まっている場合を想定する。時計１のこの状態を見ただけでは、この時計１は、３日の「『午前』１０時８分」を指しているのか、それとも「『午後』１０時８分」を指しているのか識別できない。
【００５０】
ここで、例えば、合わされるべき現在時刻が「午後７時××分」であるとして、その時刻「『午後』７時××分」に時計１の針合せをする場合を想定する。
【００５１】
時計の針が「『午前』１０時８分」を指しているのか「『午後』１０時８分」を指しているのかわからないことから、従来であれば、巻真を２段目に引出した上で、時計回りの順方向針回しをして日車による日表示が替わる針位置を確認し、当該針位置を基準にして、「『午後』７時××分」を示す状態（針位置）まで１０数時間分だけ針回しをすることになる。すなわち、時刻（針位置）を合わせる前、時計の針が指しているのは、午前の時刻か午後の時刻かについての確認ないしチェックが不可欠になり、手間がかかり煩雑である。
【００５２】
これに対して、午前・午後表示機構３を備えた時計１では、次のようにして針合せをする。
【００５３】
まず、巻真１７をＡ１方向に２段目Ｐ２に引出す。
【００５４】
巻真１７が２段目Ｐ２に設定されると、時計が「『午前』１０時８分」を示している場合には、図１の（ｂ）に示したように、午前・午後表示機構３の表示針６の本体７２の先端部が、日窓１５の枠内に突出し、日窓１５内に表示針６が見える。
【００５５】
より詳しくは、時計１が午前１０時８分で止まっている場合、２４時間で一回転する２４時車４０が対応する回転位置で止まっていることから、図４の（ａ）や（ｂ）に示したように、２４時時カム４２が午前１０時８分に対応する回転位置で止まっている。
【００５６】
図１の（ａ）に示したように巻真１７が通常運針位置Ｐ０にある場合、図４の（ａ）に示したように、巻真１７の先端部１７ａが表示レバー本体部５０の被係合突起部５７をバネ６０のＤ１方向偏倚力に抗してＡ２方向に押して表示レバー本体部５０のＤ１方向回転を規正（禁止）しているので、表示レバー本体部５０は非作動位置Ｒ０に止められ、表示針６は非表示位置Ｑ０に止められる。
【００５７】
針回しのために巻真１７が２段目Ｐ２にＡ１方向に引出されると、図４の（ｂ）に示したように、巻真１７の先端部１７ａによる表示レバー本体部５０の被係合突起部５７の規正が解除されるので、表示レバー本体部５０は、カム従節をなす係合突起部５５が２４時カム４２の小径円弧状カム面４３に当るまで、バネ６０の作用下でＤ１方向に回動変位され、表示作動位置Ｒ１に達し、表示針６もＤ１方向に揺動して日窓１５の範囲内の表示位置Ｑ１に移動する。従って、日窓１５を介して、表示針６が見える（図１の（ｂ）の状態）。すなわち、時計１では、針１１，１２の指している時刻が午前の時刻である場合には、巻真１７を２段目Ｐ２に設定するだけで、午前・午後表示機構３の表示針６が日窓１５の範囲内に現れて、時計１の指している時刻が午前の時刻であることを知らせる。従って、従来と異なり、「時計が午前の時刻を表しているのか午後の時刻を表しているのかの確認ないしチェック」のために、煩雑な別の操作を要しないので、針合せが速やかに行われ得る。
【００５８】
一方、時計が「『午後』１０時８分」を示している場合には、図１の（ｃ）に示したように、巻真１７が２段目Ｐ２に設定されても、午前・午後表示機構３の表示針６は日窓１５の枠内には突出せず、日窓１５内に表示針６は現れない。
【００５９】
より詳しくは、時計１が午後１０時８分で止まっている場合、２４時間で一回転する２４時車４０が対応する回転位置で止まっていることから、図４の（ｃ）や（ｄ）に示したように、２４時時カム４２が午後１０時８分に対応する回転位置で止まっている。
【００６０】
図１の（ａ）に示したように巻真１７が通常運針位置Ｐ０にある場合、図４の（ｃ）に示したように、巻真１７の先端部１７ａが表示レバー本体部５０の被係合突起部５７をバネ６０のＤ１方向偏倚力に抗してＡ２方向に押して表示レバー本体部５０のＤ１方向回転を規正（禁止）しているので、表示レバー本体部５０は非作動位置Ｒ０に止められ、表示針６は非表示位置Ｑ０に止められる。図４の（ｃ）の場合における表示レバー４と巻真１７との関係は、図４の（ａ）の場合における表示レバー４と巻真１７との関係と同一である。ここで、カム従節をなす係合突起部５５と２４時カム４２の大径円弧状カム面４４との間には、典型的には、隙間がある。但し、所望ならば、実際上接していてもよい。但し、その場合でも、図４の（ｃ）の状態において、巻真１７の先端部１７ａの表示レバー本体部５０の被係合突起部５７への当接による表示レバー本体部５０のＤ１方向回転の規正（禁止）は実際上維持される。
【００６１】
針回しのために巻真１７が２段目Ｐ２にＡ１方向に引出されると、図４の（ｄ）に示したように、巻真１７の先端部１７ａによる表示レバー本体部５０の被係合突起部５７の規正が解除されるけれども、該解除に伴なって表示レバー本体部５０がＤ１方向に回動され始めると、カム従節をなす係合突起部５５が２４時カム４２の大径円弧状カム面４４に直ちに当接するので、表示レバー本体部５０はわずかにＤ１方向に回転されるだけで、再度その回転が禁止されて非表示作動位置Ｒ２に止まる。また、表示針６もＤ１方向にわずかに揺動されるだけで、実際上日窓１５の範囲外の非表示位置Ｑ０に止まる。従って、日窓１５には表示針６は見えない（図１の（ｃ）の状態）。
【００６２】
すなわち、時計１では、針１１，１２の指している時刻が午後の時刻である場合には、巻真１７を２段目Ｐ２に設定しても午前・午後表示機構３の表示針６が日窓１５の範囲内に現れないので、時計１の指している時刻が午後の時刻であることを知らせる。従って、従来と異なり、「時計が午前の時刻を表しているのか午後の時刻を表しているのかの確認ないしチェック」のために、煩雑な別の操作を要しないので、針合せが速やかに行われ得る。
【００６３】
以上のような時計１では、時計１が午前の状態にある場合に巻真１７の二段目Ｐ２への引出しに応じて表示針６が日窓１５内に現れる点を除いて、時計１の外観は従来の通常の時計と同一であり、オーソドックスな時計表現がそのまま保たれている点でも、高級感が保たれ得る。
【００６４】
なお、以上においては、表示レバー本体部５０の係合突起部５５が小径円弧状部（小径円弧状カム面）４３に当接するのが午前であり、大径円弧状部（大径円弧状カム面）４４に当接するのが午後である例について説明したけれども、その代わりに、表示レバー本体部５０の係合突起部５５が小径円弧状部（小径円弧状カム面）４３に当接するのが午後であり、大径円弧状部（大径円弧状カム面）４４に当接するのが午前であるように、２４時カム４２が２４時歯車４１に対して位置決めされていてもよい。
【００６５】
また、例えば、小径円弧状部（小径円弧状カム面）４３及び大径円弧状部（大径円弧状カム面）４４の径を図示の例よりも多少小さく形成しておき、午前においては、表示針６が日窓１５の３時の向きよりも多少４時側にズレた位置に現れ、午後においては、表示針６が日窓１５の３時の向きよりも多少２時側にズレた位置に現れるようにしてもよい。その場合、午前の場合でも午後の場合でも、表示針６が日窓１５を介して視認し得ることにより午前・午後の区別の表示が行われていることを認識し得、且つ表示針６が３時の位置よりも４時側にずれているか２時側にずれているかによって午前か午後かを識別し得る。
【００６６】
更に、所望ならば、例えば、巻真１７を０段目（通常運針位置）から２段目（針合せ位置）に引く前であっても、１段目（典型的にはカレンダ（日）合わせ位置）に引くだけで表示針６が少なくとも部分的に日窓１５内に現れるようにしておいてもよい。
【００６７】
以上においては、表示レバー４が回転中心軸５４のまわりでＤ１，Ｄ２方向に回動される例について説明したけれども、表示レバー４は回動される代わりに揺動されるようになっていても、往復並進されるようになっていてもよい。
【００６８】
更に、以上においては、表示針６と表示レバー４とが相互に不動に固定されている例について説明したけれども、表示レバー４の変位に応じて表示針６が表示レバー４に対して相対変位されるようになっていてもよい。
【符号の説明】
【００６９】
１  時計
３  午前・午後表示機構
４  表示レバー
６  表示針
８  地板
８ａ  ピン
１１  時針
１２  分針
１３  秒針
１４  文字板
１５  日窓
１６  日車
１７  巻真
１７ａ  巻真の先端部
１８  てんぷ規正レバー
１９  りゅうず
２１  筒車
２１ｂ  筒車の歯車部
２２  二番車
２２ａ  二番かな（分かな）
２２ｂ  二番歯車
２３  四番車
２４  日の裏車
２５  回転錘
３１  つづみ車
３２  おしどり
３３  かんぬき
３４  切替機構
３５  レバー
３６ａ  きち車
３６ｂ  丸穴車
３７  小鉄車
３８  針回し中間輪列
３８ａ，３８ｂ  針回し中間車
３９  日修正輪列
３９ａ，３９ｂ  日修正（中間）車
４０  ２４時車（２４時間車）
４１  ２４時歯車
４２  ２４時カム
４３  小径円弧状部（小径円弧状カム面）
４４  大径円弧状部（大径円弧状カム面）
４５ａ，４５ｂ  接続カム面（遷移カム面）
４８  ２４時中間車
４８ａ  かな部
４８ｂ  歯車部
５０  表示レバー本体部
５１  剛性腕部
５２  剛性腕部
５３  連結部
５４  ピン
５５  倣い用係合突起部（カム従節）
５６  表示針取付部
５７  被係合突起部
５８  外側部
６０  バネ部
６１  バネ本体部
６２  基端部
６３  先端部
７１  基部大径部
７２  針本体部
７３  連結ピン状部
Ａ１，Ａ２  巻真の出し入れ方向
Ｂ  巻真の中心軸線
Ｂ１，Ｂ２  回転方向
Ｃ  中心軸線
Ｄ  中心軸線
Ｄ１，Ｄ２  表示レバーの回動方向（表示針の揺動方向）
Ｅ１，Ｅ２  レバーの揺動方向
Ｐ０  ０（ゼロ）段目
Ｐ２  ２段目
Ｑ０  非表示位置
Ｑ１  表示位置
Ｒ０  非作動位置
Ｒ１  表示作動位置
Ｒ２  非表示作動位置
【図１】
2010256249.tif 000003
【図２】
2010256249.tif 000004
【図３】
2010256249.tif 000005
【図４】
2010256249.tif 000006